(57)【要約】【課題】欠相を検出した後の開閉器の異常動作を防止した受配電設備の欠相検出装置を提供することにある。【解決手段】線間電圧Ｖが第１の一定期間Ｓ１中に欠相電圧設定値Ｖ１を下回っている状態から計測される第１の経過情報ｔ１が欠相判定設定値Ｔ１になれば、開閉器から配電線側で欠相が生じたと判定されて開閉器を開放し、欠相と判定されたときから第２の一定期間Ｓ２経過時までに線間電圧が欠相電圧設定値を上回っている状態から計測される第２の経過情報ｔ２が欠相復帰判定設定値Ｔ２になれば、欠相復帰と判定されて開閉器を投入する欠相検出装置２０に、欠相判定から期間Ｓ２経過時までよりも長く、かつ、線間電圧が欠相電圧設定値を上回っている状態から計測される経過情報ｔ２が欠相復帰判定設定値Ｔ２とならないような計測禁止期間Ｓ０が設定されると共に、計測禁止期間中に経過情報ｔ２が計測されない第２の経過情報計測禁止手段２５を設ける。【選択図】図３
2008301549.tif 000002
【特許請求の範囲】
【請求項１】
電源側に開閉器を有し、前記開閉器を介して変電所から引き出された配電線に接続され、前記開閉器の配電線側で検出される線間電圧が第１の一定期間中に欠相電圧設定値を下回っている状態から計測される第１の経過情報が欠相判定設定値になれば、前記開閉器から配電線側で欠相が生じたと判定されて開閉器を開放し、欠相と判定されたときから第２の一定期間経過時までに線間電圧が欠相電圧設定値を上回っている状態から計測される第２の経過情報が欠相復帰判定設定値になれば、欠相が復帰したと判定されて開閉器を投入する受配電設備の欠相検出装置であって、
前記欠相電圧設定値よりも大きな欠相復帰電圧設定値が設定されると共に、欠相と判定されて開閉器開放後の線間電圧が欠相電圧設定値と欠相復帰電圧設定値との間である場合に、第２の経過情報が計測されない第２の経過情報計測禁止手段を設けた受配電設備の欠相検出装置。
【請求項２】
電源側に開閉器を有し、前記開閉器を介して変電所から引き出された配電線に接続され、前記開閉器の配電線側で検出される線間電圧が第１の一定期間中に欠相電圧設定値を下回っている状態から計測される第１の経過情報が欠相判定設定値になれば、前記開閉器から配電線側で欠相が生じたと判定されて開閉器を開放し、欠相と判定されたときから第２の一定期間経過時までに線間電圧が欠相電圧設定値を上回っている状態から計測される第２の経過情報が欠相復帰判定設定値になれば、欠相が復帰したと判定されて開閉器を投入する受配電設備の欠相検出装置であって、
前記欠相と判定されたときから第２の一定期間経過時までよりも長く、かつ、線間電圧が欠相電圧設定値を上回っている状態から計測される第２の経過情報が欠相復帰判定設定値とならないような計測禁止期間が設定されると共に、計測禁止期間中に第２の経過情報が計測されない第２の経過情報計測禁止手段を設けた受配電設備の欠相検出装置。
【発明の詳細な説明】
【技術分野】
【０００１】
本発明は、電源側に有する開閉器を介して変電所から引き出された配電線に接続され、この開閉器から配電線側での欠相を検出する受配電設備の欠相検出装置に関するものである。
【背景技術】
【０００２】
電源側に開閉器を有し、開閉器を介して変電所から引き出された配電線に接続された受配電設備では、特許文献１に示されるように、配電線で事故が発生した場合には、当該受配電設備内で検出するようになっている。また、特許文献２に示されるように、配電線の各区間を接続する線路開閉器で電圧が欠相した場合、当該開閉器を開放するようになっている。
【０００３】
配電線側での欠相を受配電設備内で検出する従来の受配電設備の欠相検出装置は、開閉器の配電線側で検出される線間電圧が、欠相電圧設定値を下回ったときを欠相、欠相電圧設定値を上回ったときを欠相復帰（復電）と判定し、欠相時は開閉器を開放、欠相復帰時は開閉器を投入している。通常、欠相が検出されると開閉器を開放し、欠相復帰が検出されると開閉器を投入して完了するようになっている。
【０００４】
ところで、開閉器を開放した時点で電圧が上昇方向に多少変動し、またそれが暫く持続することがあり、開閉器を投入した時点で電圧が下降方向に多少変動し、またそれが暫く持続することがある。
【０００５】
欠相電圧設定値は、欠相の検出精度を上げるために、欠相時の電圧レベル近くに設定（欠相時の電圧レベルより上）されており、欠相を検出して開閉器が開放され、そのときの電上昇方向の電圧変動が欠相電圧設定値を上回るような場合、欠相復帰していないにも拘わらず欠相復帰と誤検出する。その後、欠相復帰を検出したとして開閉器が投入され、そのときの下降方向の電圧変動が欠相電圧設定値を下回るような場合、再度、欠相を検出することになり、このサイクルを繰り返すことになる。したがって、開閉器の開閉が頻繁に繰り返されることになる（但し、欠相が正常に復帰するまで）。
【０００６】
図５は上記の異常状態を回避するための従来の受配電設備の欠相検出装置を示すブロック図である。受配電設備は電源側に開閉器１を有し、この開閉器１に接続された図示しない変圧器を通して負荷２に電力を供給している。開閉器１は、変電所から引き出される３相配電線３に、引き込み線を介して接続されている。受配電設備に設けられた欠相検出装置５は図示するように、３相配電線の線間電圧Ｖを検出する電圧検出器５１と、欠相・復帰判定部５２と、開閉器開閉論理部５３と、開閉器駆動部５４とから構成されている。
【０００７】
欠相・復帰判定部５２は、欠相電圧を検出する欠相電圧設定値Ｖ１が設定され、電圧検出器５１で検出される線間電圧ＶがＶ＞Ｖ１であれば「Ｈ」レベル、Ｖ＜Ｖ１であれば「Ｌ」レベルを出力する入力レベル検出器５２ａと、配電線電圧の１サイクル内で線間電圧が入力レベル検出器５２ａで設定される欠相電圧設定値Ｖ１を下回ったときに、１パルスを発生させ、第１の一定期間Ｓ１、例えば２秒毎にその一定期間中のパルスをカウントする第１の経過情報収集部５２b1と、第１の経過情報収集部５２b1でカウントされたカウント値（第１の経過情報）ｔ１を上記一定期間毎に記憶する第１の記憶部５２b2と、第１の経過情報収集部５２b1によるカウント値（第１の経過情報）ｔ１が欠相判定設定値Ｔ１（配電線電圧の周波数を５０Ｈｚとして、２秒間の１サイクル毎に１パルス発生すると１００パルス）になれば、「Ｈ」レベルを出力する欠相判定部５２b3とから構成されている。  
【０００８】
さらに、配電線電圧の１サイクル内で線間電圧が入力レベル検出器５２ａで設定される欠相電圧設定値Ｖ１を上回ったときに、１パルスを発生させ、欠相判定部５２b3で欠相と判定または同判定されたときから第２の一定期間Ｓ２、例えば０．５秒間のパルスをカウントし、一定期間Ｓ２経過時にリセットする第２の経過情報収集部５２c1と、第２の経過情報収集部５２c1でカウントされたカウント値（第２の経過情報）ｔ２を記憶する第２の記憶部５２c2と、第２の経過情報収集部５２c1によるカウント値（第２の経過情報）ｔ２が欠相復帰判定設定値Ｔ２（０．５秒間の１サイクル毎に１パルス発生すると２５パルス）になれば、「Ｈ」レベルを出力する欠相復帰判定部５２c3とから構成されている。
【０００９】
開閉器開閉論理部５３は、欠相判定部５２b3の出力を反転させるＮＯＴ回路５３ａと、このＮＯＴ回路５３ａの出力が入力されると共に、欠相復帰判定部５２c3の出力が入力されるＯＲ回路５３ｂとからなり、ＯＲ回路５３ｂの出力が「Ｌ」レベルから「Ｈ」レベルになると開閉器に投入指令を出力し、「Ｈ」レベルから「Ｌ」レベルになると開閉器１に開放指令を出力する。
【００１０】
開閉器駆動部５４は、開閉器開閉論理部５３の出力が「Ｈ」レベルの間、開閉器１の投入を維持させ、「Ｌ」レベルの間、開閉器１の開放を維持させる。
【００１１】
欠相判定部５２b3の出力が「Ｌ」レベルから「Ｈ」レベルになったとき（立ち上がり）に、第２の経過情報収集部５２c1でのカウントが開始され、また、第２の記憶部５２c2に記憶されたカウント値（第２の経過情報）ｔ２がクリアされる。欠相復帰判定部５２c3の出力が「Ｌ」レベルから「Ｈ」レベルになったとき（立ち上がり）に、第１の記憶部５２b2に記憶されたカウント値（第１の経過情報）ｔ１がクリアされる。第１の経過情報収集部５２b1及び第２の経過情報収集部５２c1のカウント値は、初期状態（欠相検出装置の稼働開始時）でリセットしておく。  
【００１２】
ところで、上記欠相判定設定値Ｔ１及び欠相復帰判定設定値Ｔ２は、正常な「欠相」が検出されると開閉器を必ず開放し、正常な「欠相復帰」が検出されると開閉器を必ず投入して完了するように選定されている。
【００１３】
図６（Ａ）は従来の異常状態を説明するタイムチャート図である。上記構成において、初期状態では、欠相判定部５２b3、欠相復帰判定部５２c3、ＮＯＴ回路５３ａ、開閉器開閉論理部５３の各出力が「Ｌ」レベル、「Ｌ」レベル、「Ｈ」レベル、「Ｈ」レベルとなり、開閉器１が投入された状態になっている。
【００１４】
その後、検出された線間電圧Ｖが第１の一定期間Ｓ１中に欠相電圧設定値Ｖ１を下回る状態が持続するような場合、第１の経過情報収集部５２b1でカウントされて第１の記憶部５２b2に記憶されたカウント値（第１の経過情報）ｔ１が上記一定期間Ｓ１経過時に欠相検出設定値Ｔ１に達すると、欠相判定部５２b3の出力が「Ｌ」レベルから「Ｈ」レベルとなるので、ＮＯＴ回路５３ａと共に開閉器開閉論理部５３の出力が「Ｈ」レベルから「Ｌ」レベルとなる。すなわち、欠相と判定されるので、開閉器１は開放される。なお、欠相復帰判定部５２c3の出力は「Ｌ」レベルのままである。
【００１５】
欠相と判定されて開閉器開放後の線間電圧Ｖが電圧変動（上昇）して徐々に低下し、欠相と判定されたときから第２の一定期間Ｓ２経過時までに欠相電圧設定値Ｖ１を上回っている状態から下回るような場合、第２の経過情報収集部５２c1でカウントされて第２の記憶部５２c2に記憶されたカウント値（第２の経過情報）ｔ２が上記一定期間Ｓ２経過時に欠相復帰判定設定値Ｔ２に達しないので、欠相復帰判定部５２c3の出力が「Ｌ」レベルのままであり、また、欠相判定部５２b3の出力が「Ｈ」レベルのままであり、さらに、ＮＯＴ回路５３ａと共に開閉器開閉論理部５３の出力が「Ｌ」レベルのままとなる。すなわち、欠相復帰と判定されるまでに至らないので、開閉器１は投入されない。
【００１６】
ところが、線間電圧Ｖが第２の一定期間Ｓ２中に欠相電圧設定値Ｖ１を上回る状態が持続するような場合、第２の経過情報収集部５２c1でカウントされて第２の記憶部５２c2に記憶されたカウント値（第２の経過情報）ｔ２が上記一定期間Ｓ２経過時に欠相復帰判定設定値Ｔ２に達すると、欠相復帰判定部５２c3の出力が「Ｌ」レベルから「Ｈ」レベルとなるので、開閉器開閉論理部５３の出力も「Ｌ」レベルから「Ｈ」レベルとなる。すなわち、欠相復帰と同判定されることになるので、開閉器１は投入される。なお、欠相復帰判定部５２c3の出力が「Ｈ」レベルとなる際に、第１の記憶部５２b1に記憶されたカウント値（第１の経過情報）ｔ１がリセットされるので、欠相判定部５２b3の出力が「Ｈ」レベルから「Ｌ」レベルになる。
【００１７】
欠相復帰と同判定判定されて開閉器投入後の線間電圧Ｖが徐々に低下し、第１の一定期間Ｓ１中に欠相電圧設定値Ｖ１を上回っている状態から下回るような場合、第１の経過情報収集部５２b1でカウントされて第１の記憶部５２b2に記憶されたカウント値（第１の経過情報）ｔ１が上記一定期間Ｓ１経過時に欠相検出設定値Ｔ１に達しないので、欠相判定部５２b3の出力は欠相復帰判定部５２c3の出力が「Ｈ」レベルとなる際にリセットされて「Ｌ」レベルのままであり、また、欠相復帰判定部５２c3及び開閉器開閉論理部５３の出力が「Ｈ」レベルのままとなる。すなわち、欠相と判定されるまでに至らないので、開閉器１は開放されない。
【００１８】
ところが、線間電圧Ｖが第１の一定期間Ｓ１中に欠相電圧設定値Ｖ１を下回る状態が持続するような場合、第１の経過情報収集部５２b1でカウントされて第１の記憶部５２b2に記憶されたカウント値（第１の経過情報）ｔ１が上記一定期間Ｓ１経過時に欠相検出設定値Ｔ１に達すると、欠相判定部５２b3の出力が「Ｌ」レベルから「Ｈ」レベルとなるので、ＮＯＴ回路の出力が「Ｌ」レベルとなり、開閉器開閉論理部５３の出力が「Ｈ」レベルから「Ｌ」レベルとなる。すなわち、欠相と同判定されることになるので、開閉器は開放される。なお、欠相判定部５２b3の出力が「Ｈ」レベルとなる際に、第２の記憶部５２c2に記憶されたカウント値（第２の経過情報）ｔ２がリセットされて欠相復帰判定部５２c3の出力が「Ｈ」レベルから「Ｌ」レベルになる。また、第２の経過情報収集部５２c1でのカウントが開始される。
【００１９】
欠相と同判定されて開閉器開放後の線間電圧Ｖが徐々に低下し、欠相と誤判定されたときから第２の一定期間Ｓ２経過時までに欠相電圧設定値Ｖ１を上回っている状態から下回るような場合、第２の経過情報収集部５２c1でカウントされて第２の記憶部５２c2に記憶されたカウント値（第２の経過情報）ｔ２が上記一定期間Ｓ２経過時に欠相復帰判定設定値Ｔ２に達しないので、欠相復帰判定部５２c3の出力が「Ｌ」レベルのままであり、また、欠相判定部５２b3の出力が「Ｈ」レベルのままであり、さらに、ＮＯＴ回路５３ａと共に開閉器開閉論理部５３の出力が「Ｌ」レベルのままとなる。すなわち、欠相復帰と判定されるまでに至らないので、開閉器１は投入されない。
【００２０】
ところが、線間電圧Ｖが第２の一定期間Ｓ２中に欠相電圧設定値Ｖ１を上回る状態が持続するような場合、第２の経過情報収集部５２c1でカウントされて第２の記憶部５２c2に記憶されたカウント値（第２の経過情報）ｔ２が上記一定期間Ｓ２経過時に欠相復帰判定設定値Ｔ２に達すると、欠相復帰判定部５２c3の出力が「Ｌ」レベルから「Ｈ」レベルとなるので、開閉器開閉論理部５３の出力も「Ｌ」レベルから「Ｈ」レベルとなる。すなわち、欠相復帰と再び同判定されることになるので、開閉器１は投入される。なお、欠相復帰判定部５２c3の出力が「Ｈ」レベルとなる際に、第１の記憶部５２b2に記憶されたカウント値（第１の経過情報）ｔ１がリセットされて欠相判定部５２b3の出力が「Ｈ」レベルから「Ｌ」レベルになる。
【００２１】
図６（Ｂ）は従来の正常な欠相及び欠相復帰状態を説明するタイムチャート図である。ところで、欠相と判定または同判定されて開閉器開放後の線間電圧Ｖが欠相と判定または同判定されたときから一定期間Ｓ２経過した後も欠相電圧設定値Ｖ１を下回るような状態で、正常に欠相復帰して線間電圧Ｖが欠相電圧設定値Ｖ１を上回る状態になると、第２の経過情報収集部５２c1でカウントされて第２の記憶部５２c2に記憶されたカウント値（第２の経過情報）ｔ２が上記一定期間Ｓ２経過時に欠相復帰判定設定値Ｔ２に達すると、欠相復帰判定部５２c3の出力が「Ｌ」レベルから「Ｈ」レベルとなるので、開閉器開閉論理部５３の出力も「Ｌ」レベルから「Ｈ」レベルとなる。すなわち、欠相復帰と判定されると共に、欠相復帰判定部５２c3の出力が「Ｈ」レベルに維持されるので、開閉器は投入されて維持される。
【特許文献１】特開平１１−２１５６８８号公報
【特許文献２】特開２００３−１５８８３２号公報（段落番号００１７）
【発明の開示】
【発明が解決しようとする課題】
【００２２】
欠相と判定または同判定されて開閉器開放後の線間電圧の検出期間を所定の一定期間にしても、欠相復帰していないにも拘わらず開閉器が投入されることがあり、欠相復帰と判定または同判定されて開閉器投入後の線間電圧の検出期間を所定の一定期間にしても、欠相と同判定されて開閉器が開放されることがあり、このように開閉器が投入されて開放されることがあれば、開閉器の開閉が繰り返されるという問題が発生する虞がある。
【００２３】
本発明の目的は、欠相を検出した後の開閉器の異常動作を防止した受配電設備の欠相検出装置を提供することにある。
【課題を解決するための手段】
【００２４】
第１の発明は、電源側に開閉器を有し、開閉器を介して変電所から引き出された配電線に接続され、開閉器の配電線側で検出される線間電圧が第１の一定期間中に欠相電圧設定値を下回っている状態から計測される第１の経過情報が欠相判定設定値になれば、開閉器から配電線側で欠相が生じたと判定されて開閉器を開放し、欠相と判定されたときから第２の一定期間経過時までに線間電圧が欠相電圧設定値を上回っている状態から計測される第２の経過情報が欠相復帰判定設定値になれば、欠相が復帰したと判定されて開閉器を投入する受配電設備の欠相検出装置を対象とし、欠相電圧設定値よりも大きな欠相復帰電圧設定値が設定されると共に、欠相と判定されて開閉器開放後の線間電圧が欠相電圧設定値と欠相復帰電圧設定値との間である場合に、第２の経過情報が計測されない第２の経過情報計測禁止手段を設けたものである。
【００２５】
第２の発明は、電源側に開閉器を有し、開閉器を介して変電所から引き出された配電線に接続され、開閉器の配電線側で検出される線間電圧が第１の一定期間中に欠相電圧設定値を下回っている状態から計測される第１の経過情報が欠相判定設定値になれば、開閉器から配電線側で欠相が生じたと判定されて開閉器を開放し、欠相と判定されたときから第２の一定期間経過時までに線間電圧が欠相電圧設定値を上回っている状態から計測される第２の経過情報が欠相復帰判定設定値になれば、欠相が復帰したと判定されて開閉器を投入する受配電設備の欠相検出装置を対象とし、欠相と判定されたときから第２の一定期間経過時までよりも長く、かつ、線間電圧が欠相電圧設定値を上回っている状態から計測される第２の経過情報が欠相復帰判定設定値とならないような計測禁止期間が設定されると共に、計測禁止期間中に第２の経過情報が計測されない第２の経過情報計測禁止手段を設けたものである。
【発明の効果】
【００２６】
以上のように、第１の発明によれば、欠相を検出した後の開閉器の開閉が繰り返されるという異常動作を防止することができる。
【００２７】
第２の発明によれば、欠相を検出して開閉器が開放された直後からの線間電圧の大きさに拘わらず、欠相を検出した後の開閉器の開閉が繰り返されるという異常動作を防止することができる。
【発明を実施するための最良の形態】
【００２８】
図１は本発明に係る受配電設備の欠相検出装置の第１の実施形態を示すブロック図である。図２は第１の実施形態の正常な欠相及び欠相復帰状態を説明するタイムチャート図である。
【００２９】
欠相検出装置１０は、３相配電線の線間電圧Ｖを検出する電圧検出器１１と、欠相・復帰判定部１２と、開閉器開閉論理部１３と、開閉器駆動部１４と、第２の経過情報計測禁止部１５とから構成されている。
【００３０】
欠相・復帰判定部１２は、検出される線間電圧Ｖが欠相を検出する欠相電圧設定値Ｖ１が設定され、Ｖ＞Ｖ１であれば「Ｈ」レベル、Ｖ＜Ｖ１であれば「Ｌ」レベルを出力する入力レベル検出器１２ａと、配電線電圧の１サイクル内で線間電圧Ｖが欠相電圧設定値Ｖ１を下回ったときに、１パルスを発生させ、第１の一定期間Ｓ１、例えば２秒毎にその一定期間中のパルスをカウントする第１の経過情報収集部１２b1と、第１の経過情報収集部１２b1でカウントされたカウント値（第１の経過情報）ｔ１を上記一定期間毎に記憶する第１の記憶部１２b2と、第１の経過情報収集部１２b1によるカウント値（第１の経過情報）ｔ１が欠相判定設定値Ｔ１（配電線電圧の周波数を５０Ｈｚとして、２秒間の１サイクル毎に１パルス発生すると１００パルス）になれば、「Ｈ」レベルを出力する欠相判定部１２b3とから構成されている。
【００３１】
配電線電圧の１サイクル内で線間電圧Ｖが欠相電圧設定値Ｖ１を上回ったときに、１パルスを発生させ、欠相判定部１２b3で欠相と判定または同判定されたときから第２の一定期間Ｓ２、例えば０．５秒間のパルスをカウントし、一定期間Ｓ２経過時にリセットする第２の経過情報収集部１２c1と、第２の経過情報収集部１２c1でカウントされたカウント値（第２の経過情報）ｔ２を記憶する第２の記憶部１２c2と、第２の経過情報収集部１２c1によるカウント値（第２の経過情報）ｔ２が欠相復帰判定設定値Ｔ２（０．５秒間の１サイクル毎に１パルス発生すると２５パルス）になれば、「Ｈ」レベルを出力する欠相復帰判定部１２c3とから構成されている。
【００３２】
開閉器開閉論理部１３は、欠相判定部１２b3の出力を反転させるＮＯＴ回路１３ａと、ＮＯＴ回路１３ａの出力が入力されると共に、欠相復帰判定部１２c3の出力が入力されるＯＲ回路１３ｂとからなり、ＯＲ回路１３ｂの出力が「Ｌ」レベルから「Ｈ」レベルになると開閉器駆動部１４から開閉器１に投入指令を出力させ、「Ｈ」レベルから「Ｌ」レベルになると開閉器１に開放指令を出力させる。
【００３３】
開閉器駆動部１４は、開閉器開閉論理部１３の出力が「Ｈ」レベルの間、開閉器１の投入を維持させ、「Ｌ」レベルの間、開閉器１の開放を維持させる。
【００３４】
第２の経過情報計測禁止部１５は、欠相復帰電圧を検出する欠相復帰電圧設定値Ｖ２が欠相電圧設定値Ｖ１よりも大きく設定され、検出される線間電圧ＶがＶ＞Ｖ２であれば「Ｈ」レベル、Ｖ＜Ｖ２であれば「Ｌ」レベルを出力する入力レベル検出器１５ａと、この入力レベル検出器１５ａの出力が入力されると共に、欠相判定部１２b3の出力が入力されるＡＮＤ回路１５ｂとからなり、ＡＮＤ回路１５ｂの出力が「Ｌ」レベルから「Ｈ」レベルになったとき（立ち上がり）に、第２の経過情報収集部１２c1でのカウントが開始される。
【００３５】
欠相復帰判定部１２c3の出力が「Ｌ」レベルから「Ｈ」レベルになったとき（立ち上がり）に、第１の記憶部１２b2に記憶されたカウント値（第１の経過情報）ｔ１がクリアされる。第１の経過情報収集部１２b1及び第２の経過情報収集部１２c1のカウント値は、初期状態（欠相検出装置の稼働開始時）でリセットしておく。
【００３６】
上記構成において、初期状態では、欠相判定部１２b3、欠相復帰判定部１２c3、ＮＯＴ回路１３ａ、開閉器開閉論理部１３の各出力が「Ｌ」レベル、「Ｌ」レベル、「Ｈ」レベル、「Ｈ」レベルとなり、開閉器１が投入された状態になっている。
【００３７】
その後、検出された線間電圧Ｖが第１の一定期間Ｓ１中に欠相電圧設定値Ｖ１を下回る状態が持続するような場合、第１の経過情報収集部１２b1でカウントされて第１の記憶部１２b2に記憶されたカウント値（第１の経過情報）ｔ１が上記一定期間Ｓ１経過時に欠相検出設定値Ｔ１に達すると、欠相判定部１２b3の出力が「Ｌ」レベルから「Ｈ」レベルとなるので、ＮＯＴ回路１３ａと共に開閉器開閉論理部１３の出力が「Ｈ」レベルから「Ｌ」レベルとなる。すなわち、欠相と判定されるので、開閉器１は開放される。なお、欠相復帰判定部１２c3の出力は「Ｌ」レベルのままである。
【００３８】
開閉器１が開放された後、線間電圧Ｖが開閉器１の開放直後から欠相電圧設定値Ｖ１と欠相復帰電圧設定値Ｖ２との間となるような場合、第２の経過情報計測禁止部１５のＡＮＤ回路１５ｂの出力が「Ｌ」レベルのままであるので、第２の経過情報収集部１２c1はカウントされない。すなわち、線間電圧Ｖが欠相電圧設定値Ｖ１を上回っているが、欠相復帰と判定されない。
【００３９】
さらにその後、線間電圧Ｖが欠相復帰電圧設定値Ｖ２を上回るような場合、第２経過情報計測禁止部１５のＡＮＤ回路１５ｂの出力が「Ｌ」レベルから「Ｈ」レベルになるので、第２の経過情報収集部１２c1でカウントされて第２の記憶部１２c2に記憶されたカウント値（第２の経過情報）ｔ２が第２の一定期間Ｓ２経過時に欠相復帰判定設定値Ｔ２に達すると、欠相復帰判定部１２c3の出力が「Ｌ」レベルから「Ｈ」レベルとなるので、開閉器開閉論理部１３の出力も「Ｌ」レベルから「Ｈ」レベルとなる。すなわち、欠相復帰と正常に判定されると共に、欠相復帰判定部１２c3の出力が「Ｈ」レベルに維持されるので、開閉器は投入されて維持される。
【００４０】
図３は本発明に係る受配電設備の欠相検出装置の第２の実施形態を示すブロック図である。図４は第２の実施形態の正常な欠相及び欠相復帰状態を説明するタイムチャート図である。
【００４１】
欠相検出装置２０は、３相配電線の線間電圧Ｖを検出する電圧検出器２１と、欠相・復帰判定部２２と、開閉器開閉論理部２３と、開閉器駆動部２４と、第２の経過情報計測禁止部２５とから構成されている。
【００４２】
欠相・復帰判定部２２は、検出される線間電圧Ｖが欠相を検出する欠相電圧設定値Ｖ１が設定され、Ｖ＞Ｖ１であれば「Ｈ」レベル、Ｖ＜Ｖ１であれば「Ｌ」レベルを出力する入力レベル検出器２２ａと、配電線電圧の１サイクル内で線間電圧Ｖが欠相電圧設定値Ｖ１を下回ったときに、１パルスを発生させ、第１の一定期間Ｓ１、例えば２秒毎にその一定期間中のパルスをカウントする第１の経過情報収集部２２b1と、第１の経過情報収集部２２b1でカウントされたカウント値（第１の経過情報）ｔ１を上記一定期間毎に記憶する第１の記憶部２２b2と、第１の経過情報収集部２２b1によるカウント値（第１の経過情報）ｔ１が欠相判定設定値Ｔ１（配電線電圧の周波数を５０Ｈｚとして、２秒間の１サイクル毎に１パルス発生すると１００パルス）になれば、「Ｈ」レベルを出力する欠相判定部２２b3とから構成されている。
【００４３】
配電線電圧の１サイクル内で線間電圧が欠相電圧設定値Ｖ１を上回ったときに、１パルスを発生させ、欠相判定部２２b3で欠相と判定または同判定されたときから第２の一定期間Ｓ２、例えば０．５秒間のパルスをカウントし、一定期間Ｓ２経過時にリセットする第２の経過情報収集部２２c1と、第２の経過情報収集部２２c1でカウントされたカウント値（第２の経過情報）ｔ２を記憶する第２の記憶部２２c2と、第２の経過情報収集部１２c1によるカウント値（第２の経過情報）ｔ２が欠相復帰判定設定値Ｔ２（０．５秒間の１サイクル毎に１パルス発生すると２５パルス）になれば、「Ｈ」レベルを出力する欠相復帰判定部２２c3とから構成されている。
【００４４】
開閉器開閉論理部２３は、欠相判定部２２b3の出力を反転させるＮＯＴ回路２３ａと、ＮＯＴ回路２３ａの出力が入力されると共に、欠相復帰判定部２２c3の出力が入力されるＯＲ回路２３ｂとからなり、ＯＲ回路２３ｂの出力が「Ｌ」レベルから「Ｈ」レベルになると開閉器駆動部２４から開閉器１の投入指令を出力させ、「Ｈ」レベルから「Ｌ」レベルになると開閉器１に開放指令を出力させる。
【００４５】
開閉器駆動部２４は、開閉器開閉論理部２３の出力が「Ｈ」レベルの間、開閉器１の投入を維持させ、「Ｌ」レベルの間、開閉器１の開放を維持させる。
【００４６】
第２の経過情報計測禁止部２５は、欠相判定部２２b3の出力が入力されるタイマー回路２５ａと、タイマー回路２５ａの出力を反転させるＮＯＴ回路２５ｂとからなり、欠相判定部１２b3の出力が「Ｌ」レベルから「Ｈ」レベルになったとき（立ち上がり）に、タイマー回路２５ａが動作して「Ｈ」レベルを出力し、所定時間経過すると「Ｌ」レベルになり、ＮＯＴ回路２５ｂの出力が「Ｌ」レベルから「Ｈ」レベルになったとき（立ち上がり）に、第２の経過情報収集部２２c1でのカウントが開始される。上記所定時間（計測禁止期間）Ｓ０は、欠相と判定されたときから第２の一定期間Ｓ２経過時までよりも長く、かつ、線間電圧Ｖが欠相電圧設定値Ｖ１を上回っている状態から計測される第２の経過情報ｔ２が欠相復帰判定設定値Ｔ２とならないように実体に合わせて設定される。
【００４７】
欠相復帰判定部２２c3の出力が「Ｌ」レベルから「Ｈ」レベルになったとき（立ち上がり）に、第１の記憶部２２b2に記憶されたカウント値（第１の経過情報）ｔ１がクリアされる。第１の経過情報収集部２２b1及び第２の経過情報収集部２２c1のカウント値は、初期状態（欠相検出装置の稼働開始時）でリセットしておく。
【００４８】
上記構成において、初期状態では、欠相判定部２２b3、欠相復帰判定部２２c3、ＮＯＴ回路２３ａ、開閉器開閉論理部２３の各出力が「Ｌ」レベル、「Ｌ」レベル、「Ｈ」レベル、「Ｈ」レベルとなり、開閉器１が投入された状態になっている。
【００４９】
その後、検出された線間電圧Ｖが第１の一定期間Ｓ１中に欠相電圧設定値Ｖ１を下回る状態が持続するような場合、第１の経過情報収集部２２b1でカウントされて第１の記憶部２２b2に記憶されたカウント値（第１の経過情報）ｔ１が上記一定期間Ｓ１経過時に欠相検出設定値Ｔ１に達すると、欠相判定部２２b3の出力が「Ｌ」レベルから「Ｈ」レベルとなるので、ＮＯＴ回路２３ａと共に開閉器開閉論理部２３の出力が「Ｈ」レベルから「Ｌ」レベルとなる。すなわち、欠相と判定されるので、開閉器１は開放される。なお、欠相復帰判定部２２c3の出力は「Ｌ」レベルのままである。
【００５０】
開閉器１が開放された後、線間電圧Ｖが開閉器１の開放直後から欠相電圧設定値Ｖ１を上回るような場合、第２の経過情報計測禁止部２５のＮＯＴ回路２５ｂの出力が「Ｌ」レベルのままであるので、第２の経過情報収集部２２c1はカウントされない。すなわち、線間電圧Ｖが欠相電圧設定値Ｖ１を上回っているが、欠相復帰と判定されない。
【００５１】
タイマー回路２５ａによる所定時間経過後に、線間電圧Ｖが欠相電圧設定値Ｖ１を上回るような場合、第２経過情報計測禁止部２５のＮＯＴ回路２５ｂの出力がタイマー回路２５ａによる所定時間経過時に「Ｌ」レベルから「Ｈ」レベルになるので、第２の経過情報収集部２２c1でカウントされて第２の記憶部２２c2に記憶されたカウント値（第２の経過情報）ｔ２が第２の一定期間Ｓ２経過時に欠相復帰判定設定値Ｔ２に達すると、欠相復帰判定部２２c3の出力が「Ｌ」レベルから「Ｈ」レベルとなるので、開閉器開閉論理部２３の出力も「Ｌ」レベルから「Ｈ」レベルとなる。すなわち、欠相復帰と正常に判定されると共に、欠相復帰判定部２２c3の出力が「Ｈ」レベルに維持されるので、開閉器は投入されて維持される。
【図面の簡単な説明】
【００５２】
【図１】本発明に係る受配電設備の欠相検出装置の第１の実施形態を示すブロック図である。
【図２】第２の実施形態の正常な欠相及び欠相復帰状態を説明するタイムチャート図である。
【図３】本発明に係る受配電設備の欠相検出装置の第２の実施形態を示すブロック図である。
【図４】第２の実施形態の正常な欠相及び欠相復帰状態を説明するタイムチャート図である。
【図５】異常状態を回避するための従来の受配電設備の欠相検出装置を示すブロック図である。
【図６】（Ａ）は従来の異常状態を説明するタイムチャート図である。（Ｂ）は従来の正常な欠相及び欠相復帰状態を説明するタイムチャート図である。
【符号の説明】
【００５３】
１  開閉器
３  配電線
Ｖ  線間電圧
Ｓ１  第１の一定期間
Ｖ１  欠相電圧設定値
ｔ１  第１の経過情報
Ｔ１  欠相判定設定値
Ｓ２  第２の一定期間
ｔ２  第２の経過情報
Ｔ２  欠相復帰判定設定値
Ｓ０  計測禁止期間
２５  第２の経過情報計測禁止手段を
【図１】
2008301549.tif 000003
【図２】
2008301549.tif 000004
【図３】
2008301549.tif 000005
【図４】
2008301549.tif 000006
【図５】
2008301549.tif 000007
【図６】
2008301549.tif 000008